(57)【特許請求の範囲】
【請求項１】
記録媒体を間欠的に搬送する搬送部と、
前記搬送部によって搬送される前記記録媒体の搬送経路に対向し、前記記録媒体から離間した状態で前記記録媒体に記録を行う記録ヘッドと、
前記記録ヘッドを保持するキャリッジと、
前記キャリッジを前記搬送方向と交差する方向である交差方向に沿って往復移動可能に搬送するキャリッジ搬送部と、
前記キャリッジに設けられた毛羽取り部であって、前記搬送経路の前記記録ヘッド側において前記記録媒体から離間して設けられ、且つ、前記搬送部によって搬送される前記記録媒体の搬送方向で前記記録ヘッドよりも上流側に位置する第１部分を含む毛羽取り部と、を有し、
前記搬送方向における前記第１部分の長さが、前記搬送部によって間欠的に搬送される前記記録媒体の搬送距離と等しい、又は前記搬送距離よりも長く、
前記第１部分の前記搬送方向における長さが、前記記録ヘッドにおける前記搬送方向に沿った記録可能な長さと等しい、又は前記記録可能な長さよりも長く、
前記記録ヘッドにおいて前記搬送経路に対面する領域に、インクを噴射可能な複数のノズルが形成されており、
前記複数のノズルは、前記交差方向と交差する方向に配列するノズル列を構成し、
前記記録可能長さが、前記ノズル列の前記搬送方向に沿った長さであり、
前記毛羽取り部は、前記キャリッジの前記交差方向側に設けられており、且つ、前記交差方向から見たときに、前記記録ヘッドよりも前記搬送方向の上流側から、前記記録ヘッドに重なる領域にわたって延在している、
ことを特徴とする記録装置。
【発明の詳細な説明】
【技術分野】
【０００１】
本発明は、記録装置等に関する。
【背景技術】
【０００２】
記録装置の一例としてインクジェット記録装置が知られている。インクジェット記録装置では、記録用紙などの記録媒体に、記録ヘッドからインクを吐出させることによって、記録媒体への記録が行われる。一般的に、インクジェット記録装置では、記録媒体に対する記録ヘッドの相対的な位置を変化させながら、記録ヘッドから記録用紙に向けてインクを吐出することによって、記録媒体への記録が行なわれる。このようなインクジェット記録装置には、従来、記録ヘッドを保持するホルダーに粘着部材を配設したものが知られている（例えば、特許文献１参照）。
【先行技術文献】
【特許文献】
【０００３】
【特許文献１】特開平６−１５８１８号公報
【発明の概要】
【発明が解決しようとする課題】
【０００４】
上記特許文献１に記載されたインクジェット記録装置では、粘着部材が、記録媒体の搬送方向で記録ヘッドの上流側に位置し、且つ記録媒体に近接して対向している。これにより、記録ヘッドが主走査方向に変位することにより、記録が行なわれる直前の記録媒体上のケバなどを除去することができる。しかしながら、特許文献１では、粘着部材の搬送方向における長さについて提案されていない。よって、従来の記録装置では、さらなる改善の余地がある。
【課題を解決するための手段】
【０００５】
本発明は、少なくとも上述の課題を解決することができるものであり、以下の形態又は適用例として実現され得る。
【０００６】
［適用例１］記録媒体を間欠的に搬送する搬送部と、前記搬送部によって搬送される前記記録媒体の搬送経路に対向し、前記記録媒体から離間した状態で前記記録媒体に記録を行う記録ヘッドと、前記搬送経路の前記記録ヘッド側において前記記録媒体から離間して設けられ、且つ、前記搬送部によって搬送される前記記録媒体の搬送方向で前記記録ヘッドよりも上流側に位置する第１部分を含む毛羽取り部と、を有し、前記搬送方向における前記第１部分の長さが、前記搬送部によって間欠的に搬送される前記記録媒体の搬送距離と等しい、又は前記搬送距離よりも長い、ことを特徴とする記録装置。
【０００７】
この適用例の記録装置では、搬送部によって間欠的に搬送される記録媒体の搬送距離を、記録媒体の搬送が停止している間に毛羽取り部に対面した範囲内に留めることができる。記録媒体の搬送が停止している間に毛羽取り部に対面した範囲内であれば、毛羽取り部による毛羽などの除去効果が十分に得られやすい。このため、毛羽取り部のうち記録ヘッドよりも上流側に位置する第１部分の搬送方向における長さが、間欠的に搬送される記録媒体の搬送距離と等しい、又は搬送距離よりも長いことが好ましい。
【０００８】
［適用例２］上記の記録装置であって、前記第１部分の前記搬送方向における長さが、前記記録ヘッドにおける前記搬送方向に沿った記録可能な長さと等しい、又は前記記録可能な長さよりも長い、ことを特徴とする記録装置。
【０００９】
この適用例では、記録ヘッドにおける搬送方向に沿った記録可能な長さを、記録媒体の搬送が停止している間に毛羽取り部に対面した範囲内に留めることができる。記録媒体の搬送が停止している間に毛羽取り部に対面した範囲内であれば、毛羽取り部による毛羽などの除去効果が十分に得られやすい。このため、毛羽取り部のうち記録ヘッドよりも上流側に位置する第１部分の搬送方向における長さが、記録ヘッドにおける搬送方向に沿った記録可能な長さと等しい、又は記録可能な長さよりも長いことが好ましい。
【００１０】
［適用例３］上記の記録装置であって、前記記録ヘッドを保持するキャリッジと、前記キャリッジを前記搬送方向と交差する方向である交差方向に沿って往復移動可能に搬送するキャリッジ搬送部と、を有し、前記毛羽取り部は、前記キャリッジに設けられており、前記記録ヘッドにおいて前記搬送経路に対面する領域に、インクを噴射可能な複数のノズルが形成されており、前記複数のノズルは、前記交差方向と交差する方向に配列するノズル列を構成し、前記記録可能長さが、前記ノズル列の前記搬送方向に沿った長さである、ことを特徴とする記録装置。
【００１１】
この適用例では、毛羽取り部がキャリッジに設けられているので、キャリッジが交差方向に移動することによって、記録ヘッドの上流側において記録媒体に付着した毛羽などを除去することができる。また、この記録装置では、記録可能な長さであるノズル列の搬送方向に沿った長さを、記録媒体の搬送が停止している間に毛羽取り部に対面した範囲内に留めることができる。記録媒体の搬送が停止している間に毛羽取り部に対面した範囲内であれば、毛羽取り部による毛羽などの除去効果が十分に得られやすい。このため、毛羽取り部のうち記録ヘッドよりも上流側に位置する第１部分の搬送方向における長さが、ノズル列の搬送方向に沿った長さと等しい、又はノズル列の搬送方向に沿った長さよりも長いことが好ましい。
【００１２】
［適用例４］上記の記録装置であって、前記毛羽取り部は、前記キャリッジの前記交差方向側に設けられており、且つ、前記交差方向から見たときに、前記記録ヘッドよりも前記搬送方向の上流側から、前記記録ヘッドに重なる領域にわたって延在している、ことを特徴とする記録装置。
【００１３】
この適用例では、記録ヘッドよりも搬送方向の上流側だけでなく、交差方向から見て記録ヘッドに重なる領域までも、記録媒体に付着した毛羽などを除去することができる。
【００１４】
［適用例５］上記の記録装置であって、前記毛羽取り部と前記記録媒体との間の隙間量が、前記記録ヘッドと前記記録媒体との間の隙間量よりも狭い、ことを特徴とする記録装置。
【００１５】
この適用例では、毛羽取り部と記録媒体との間の隙間量を超える毛羽などを毛羽取り部で除去することができるので、毛羽などが記録ヘッドに接触することを避けやすい。
【図面の簡単な説明】
【００１６】
【図１】実施形態１におけるプリンターの主要構成を示す斜視図。
【図２】実施形態１における記録ヘッドを示す底面図。
【図３】実施形態１におけるキャリッジを示す平面図。
【図４】実施形態１におけるキャリッジを示す側面図。
【図５】実施形態１におけるキャリッジを示す平面図。
【図６】実施形態２におけるキャリッジを示す平面図。
【図７】実施形態３におけるキャリッジを示す平面図。
【発明を実施するための形態】
【００１７】
記録装置の１つであるプリンターを例に、実施形態について、図面を参照しながら説明する。なお、各図面において、それぞれの構成を認識可能な程度の大きさにするために、構成や部材の縮尺が異なっていることがある。
【００１８】
（実施形態１）
本実施形態におけるプリンター１は、図１に示すように、搬送装置３と、記録部５と、移動装置７と、インク供給部９と、制御部１１と、を有している。図１には、理解を容易にするため、相互に直交するＸ軸、Ｙ軸及びＺ軸が図示されている。これ以降に示す図についても必要に応じて相互に直交するＸ軸、Ｙ軸及びＺ軸が付されている。そして、図１のＸ軸、Ｙ軸及びＺ軸は、それぞれ、他の図のＸ軸、Ｙ軸及びＺ軸に対応する。なお、Ｘ軸、Ｙ軸及びＺ軸のそれぞれにおいて、矢印の向きが＋（正）の方向を示し、矢印の向きとは反対の向きが−（負）の方向を示している。
【００１９】
搬送装置３は、記録用紙などの記録媒体Ｐを、図中の＋Ｙ軸方向に間欠的に搬送する。このため、Ｙ軸方向は、記録媒体Ｐの搬送方向である。記録部５は、搬送装置３によって搬送される記録媒体Ｐの搬送経路に対向する位置に設けられている。記録部５は、搬送装置３で搬送される記録媒体Ｐにインクで記録を行う。移動装置７は、記録部５を、Ｘ軸に沿って往復移動させる。インク供給部９は、記録部５にインクを供給する。制御部１１は、上記の各構成の駆動を制御する。
【００２０】
搬送装置３は、図１に示すように、駆動ローラー１２Ａと、従動ローラー１２Ｂと、搬送モーター１３と、を有している。駆動ローラー１２Ａ及び従動ローラー１２Ｂは、互いに外周を接し合って回転可能に構成されている。搬送モーター１３は、駆動ローラー１２Ａを回転駆動するための動力を発生する。搬送モーター１３からの動力は、伝動機構を介して駆動ローラー１２Ａに伝達される。そして、駆動ローラー１２Ａと従動ローラー１２Ｂとの間に挟持した記録媒体Ｐを＋Ｙ軸方向に間欠的に搬送する。
【００２１】
記録部５は、４つの中継ユニット１５と、キャリッジ１７と、記録ヘッド１９と、を備えている。中継ユニット１５は、インク供給部９から供給されたインクを記録ヘッド１９に中継する。記録ヘッド１９は、搬送装置３によって搬送される記録媒体Ｐの搬送経路に対向する。記録ヘッド１９は、インクをインク滴として吐出して、記録媒体Ｐに記録を行う。キャリッジ１７は、４つの中継ユニット１５と、記録ヘッド１９とを搭載している。なお、記録ヘッド１９は、フレキシブルケーブル３１を介して制御部１１に接続されている。記録ヘッド１９からのインク滴の吐出は、制御部１１によって制御される。
【００２２】
移動装置７は、図１に示すように、タイミングベルト４３と、キャリッジモーター４５と、ガイド軸４７と、を備えている。タイミングベルト４３は、一対のプーリー４１Ａ及びプーリー４１Ｂ間に張設されている。一対のプーリー４１Ａ及びプーリー４１Ｂは、Ｘ軸に沿って並べられている。このため、タイミングベルト４３は、Ｘ軸に沿って張設されている。キャリッジモーター４５は、プーリー４１Ａを回転駆動するための動力を発生する。ガイド軸４７は、Ｘ軸に沿って延在している。ガイド軸４７の両端は、図示しない筐体に支持されている。ガイド軸４７は、キャリッジ１７をＸ軸に沿ってガイドする。
【００２３】
なお、本実施形態では、Ｘ軸及びＹ軸によって規定される水平な面にプリンター１を配置した状態が、プリンター１の使用状態である。プリンター１の使用状態において、Ｘ軸及びＹ軸の双方に直交する方向が鉛直方向である。Ｘ軸及びＹ軸の双方に直交する方向は、Ｚ軸方向と表記される。プリンター１の使用状態では、Ｚ軸方向が鉛直方向となる。そして、プリンター１の使用状態では、図１において、記録ヘッド１９から記録媒体Ｐに向かう向き、すなわち−Ｚ軸方向が、鉛直下方の向きである。
【００２４】
キャリッジ１７は、タイミングベルト４３の一部に固定されている。キャリッジ１７には、キャリッジモーター４５からプーリー４１Ａ及びタイミングベルト４３を介して動力が伝達される。そして、キャリッジ１７は、伝達された動力によって、Ｘ軸に沿って往復移動可能に構成されている。
【００２５】
インク供給部９は、図１に示すように、液体収容容器の一例であるカートリッジ５１と、ホルダー５３と、ポンプユニット５５と、を有している。なお、本実施形態では、インク供給部９は、複数の（本実施形態では４つの）カートリッジ５１を含む。ホルダー５３は、４つのカートリッジ５１を保持する。４つのカートリッジ５１は、ホルダー５３に対して着脱可能に構成されている。各カートリッジ５１には、インクが収容されている。４つのカートリッジ５１には、相互に異なる種類のインクが収容されている。本実施形態では、イエロー（Ｙ）、マゼンタ（Ｍ）、シアン（Ｃ）及びブラック（Ｋ）のインクが、それぞれ異なるカートリッジ５１に収容されている。プリンター１では、カートリッジ５１内のインクが消費されると、新たなカートリッジ５１に交換される。
【００２６】
各カートリッジ５１には、インク供給チューブ６１が接続される。インク供給チューブ６１は、カートリッジ５１側とは反対側において、記録部５の中継ユニット１５に接続されている。ポンプユニット５５は、ホルダー５３に装着されたカートリッジ５１内に大気を送り込むことによって、カートリッジ５１の内部を加圧する。これにより、カートリッジ５１内が加圧される。このため、カートリッジ５１内のインクがインク供給チューブ６１を介して中継ユニット１５に送り込まれる。これにより、カートリッジ５１内のインクが中継ユニット１５を介して記録ヘッド１９に供給される。そして、記録ヘッド１９に供給されたインクが、記録媒体Ｐ側に向けられたノズル（図示せず）からインク滴として吐出される。
【００２７】
上記の構成を有するプリンター１では、搬送モーター１３の駆動が制御部１１によって制御され、搬送装置３が記録媒体Ｐを記録ヘッド１９に対向させながら、Ｙ軸方向に間欠的に搬送する。このとき、制御部１１は、記録媒体Ｐの搬送が停止している間に、キャリッジモーター４５の駆動を制御して、キャリッジ１７をＸ軸に沿って往復移動させながら、記録ヘッド１９の駆動を制御して、所定の位置でインク滴を吐出させる。つまり、記録媒体Ｐの搬送が停止しているとき、記録ヘッド１９が記録媒体Ｐ上をＸ軸に沿って交差している間に記録ヘッド１９からインク滴を記録媒体Ｐに向けて吐出させる。このような動作によって、記録媒体Ｐにドットが形成され、この記録媒体Ｐに画像データなどの記録情報に基づく記録が行われる。
【００２８】
記録の態様としては、例えば、記録媒体Ｐの搬送を停止させた状態でキャリッジ１７を往復移動させながら記録を行う態様がある。この場合、キャリッジ１７の往復移動の往路及び復路の双方で記録を行なってもよいし、往路及び復路のいずれか一方だけで記録を行なってもよい。また、記録を行うときのキャリッジ１７の往復移動の回数は、１回だけでなく２回や２回を超える回数であってもよい。記録媒体Ｐの搬送が停止した状態から次に記録媒体Ｐを搬送するまでの間に行なわれる記録は１行の記録と呼ばれる。上記の記録の態様では、キャリッジ１７を往復移動させながら１行の記録を行う態様である。そして、１行の記録が終了すると、記録媒体Ｐを間欠的に搬送してから次の１行の記録が開始される。なお、１行の記録とその次の１行の記録との間に記録媒体Ｐを間欠的に搬送することを改行と呼ぶことがある。
【００２９】
他の記録の態様としては、例えば、キャリッジ１７の往路と復路との間に改行する態様など、種々の態様が採用され得る。キャリッジ１７の往路と復路との間に改行する態様は、キャリッジ１７の往路で１行の記録を行ってから改行し、キャリッジ１７の復路で次の１行の記録を行う態様である。この態様では、キャリッジ１７の往路と復路との間に改行するので記録にかかる時間を短縮しやすい。
【００３０】
ここで、記録ヘッド１９について説明する。記録ヘッド１９は、底面図である図２に示すように、ノズル面８１を有している。ノズル面８１には、インク滴を吐出する複数のノズル８３が形成されている。なお、図２では、ノズル８３をわかりやすく示すため、ノズル８３が誇張され、且つノズル８３の個数が減じられている。記録ヘッド１９において、複数のノズル８３は、Ｙ軸に沿って配列する少なくとも１本のノズル列８５を構成している。ノズル列８５の本数は、１本に限定されず、２本や２本を超える本数も採用され得る。また、記録ヘッド１９の個数は、１つに限定されず、２つや２つを超える個数も採用され得る。
【００３１】
また、本実施形態では、図３に示すように、キャリッジ１７にヘッドガード９１が設けられている。図３には、キャリッジ１７を−Ｚ軸方向に平面視したときの平面図が示されている。キャリッジ１７とヘッドガード９１とは、互いに一体的に構成されている。このため、キャリッジ１７が変位すると、キャリッジ１７の変位に追従してヘッドガード９１も変位する。図３に示す例では、キャリッジ１７とヘッドガード９１とが互いに別体で構成され、ヘッドガード９１がキャリッジ１７に固定されることによって、キャリッジ１７とヘッドガード９１とが互いに一体的に構成されている。キャリッジ１７とヘッドガード９１との構成は、これに限定されず、例えば、互いに一体に形成された構成も採用され得る。
【００３２】
ヘッドガード９１は、記録媒体Ｐの搬送方向（Ｙ軸方向）において、記録ヘッド１９よりも上流側に位置している。つまり、ヘッドガード９１は、記録ヘッド１９よりも−Ｙ軸方向に位置している。記録ヘッド１９とヘッドガード９１とは、Ｙ軸に沿って並んでいる。ここで、本実施形態では、記録動作における記録媒体Ｐの１回の搬送距離は、ノズル列８５のＹ軸に沿った長さＬ１と同等、又は長さＬ１よりも短い。これは、長さＬ１が記録ヘッド１９でＹ軸に沿って記録可能な最大の長さであるためである。このため、記録動作において、記録媒体Ｐの１回当たりの最大搬送距離は、長さＬ１と同等である。
【００３３】
そして、ヘッドガード９１のＹ軸に沿った長さＬ２は、記録媒体Ｐの１回当たりの最大搬送距離と等しい長さ、又は最大搬送距離よりも長い長さに設定される。なお、図３に示す例では、ヘッドガード９１のＹ軸に沿った長さＬ２が、記録媒体Ｐの１回当たりの最大搬送距離と等しい長さに設定されている。ヘッドガード９１は、キャリッジ１７を示す側面図である図４に示すように、記録媒体ＰからＺ軸方向に離間している。ヘッドガード９１と記録媒体Ｐとは、隙間Ｇ１を隔てて互いに離間している。また、記録ヘッド１９も、記録媒体ＰからＺ軸方向に離間している。記録ヘッド１９と記録媒体Ｐとは、隙間Ｇ２を隔てて互いに離間している。
【００３４】
隙間Ｇ１は、隙間Ｇ２と等しい、又は隙間Ｇ２よりも狭く設定される。この設定によれば、例えば、記録ヘッド１９に接触するほどの大きさを有する異物が記録媒体Ｐ上に付着していた場合に、その異物が記録ヘッド１９に到達する前にヘッドガード９１で異物を払うことができる。これにより、記録ヘッド１９を異物などの接触から保護することができる。この結果、記録ヘッド１９を損傷から保護することができる。また、異物の一例である毛羽などの埃をヘッドガード９１で除去することもできる。毛羽は、記録ヘッド１９に損傷を与えるほどの異物ではないが、記録ヘッド１９から吐出されたインク滴が毛羽に着弾してしまうと、記録品位が低下しやすい。ヘッドガード９１によれば、毛羽を払い除けたり、毛羽を吸着したりすることができるので、記録品位の低下を抑えやすい。
【００３５】
なお、本実施形態では、隙間Ｇ１は、隙間Ｇ２よりも狭い。これにより、隙間Ｇ２には満たない、すなわち記録ヘッド１９に接触しない程度の異物が、記録ヘッド１９と記録媒体Ｐとの間に進入することを避けやすい。この結果、異物による記録品位の低下を避けやすい。また、異物の一例である毛羽などの埃をヘッドガード９１で一層除去しやすくすることもできる。記録媒体Ｐとヘッドガード９１との間の隙間Ｇ１が狭いほど、毛羽を払い除けたり、毛羽を吸着したりしやすいので、記録品位の低下を一層抑えやすい。なお、ヘッドガード９１の材料としては、金属や樹脂などの種々の材料が採用され得る。毛羽を吸着する観点から、ヘッドガード９１の材料としては、帯電しやすい樹脂材であることが好ましい。
【００３６】
前述したように、記録動作において、キャリッジ１７は、図５に示すように、停止している記録媒体Ｐ上をＸ軸に沿って変位する。１行の記録では、キャリッジ１７がＸ軸に沿って変位しているときに記録ヘッド１９から記録媒体Ｐに向けてインク滴が吐出される。このとき、記録ヘッド１９よりも上流側（−Ｙ軸方向側）では、ヘッドガード９１がキャリッジ１７の変位に追従して記録媒体Ｐ上をＸ軸に沿って変位する。つまり、キャリッジ１７の往復移動のうちの往路又は復路で記録ヘッド１９から記録媒体Ｐに向けてインク滴を吐出している間に、記録ヘッド１９よりも上流側においてヘッドガード９１と記録媒体Ｐとが交差する。つまり、記録が行なわれている行よりも上流側の行とヘッドガード９１とが交差する。
【００３７】
このため、キャリッジ１７の往復移動のうちの往路又は復路で記録ヘッド１９で記録媒体Ｐに記録を実施している間に、記録ヘッド１９よりも上流側において記録媒体Ｐ上の異物をヘッドガード９１で除去することができる。つまり、記録ヘッド１９で１行の記録を行っているときに、その行の上流側で次の行の異物をヘッドガード９１で除去することができる。なお、実施形態１において、Ｘ軸に沿った方向が交差方向に対応し、ヘッドガード９１が毛羽取り部及び第１部分のそれぞれに対応している。
【００３８】
（実施形態２）
実施形態２におけるキャリッジ１７は、図６に示すように、ヘッドガード９３を有している。実施形態２は、この点を除いて実施形態１と同様の構成を有している。このため、実施形態２において、実施形態１と同一の構成については実施形態１と同一の符号を付して詳細な説明を省略する。本実施形態では、２つのヘッドガード９３が設けられている。２つのヘッドガード９３は、Ｘ軸に沿って並んでいる。Ｘ軸に沿って並ぶ２つのヘッドガード９３の間に記録ヘッド１９が位置している。
【００３９】
２つのヘッドガード９３のＹ軸に沿った長さＬ３は、ノズル列８５のＹ軸に沿った長さＬ１と同等、又は長さＬ１よりも長いことが好ましい。これによれば、ノズル列８５を構成する複数のノズル８３を保護したり、記録品位の低下を抑えたりしやすい。さらには、２つのヘッドガード９３のＹ軸に沿った長さＬ３は、ノズル面８１のＹ軸に沿った長さと同等、又はその長さよりも長いことが好ましい。これによれば、ノズル面８１を保護したり、記録品位の低下を抑えたりしやすい。実施形態２では、長さＬ３が、ノズル面８１のＹ軸に沿った長さと同等に設定されている。
【００４０】
なお、２つのヘッドガード９３と記録媒体Ｐとの隙間が、隙間Ｇ２と等しい、又は隙間Ｇ２よりも狭く設定される。実施形態２においても、実施形態１と同様の効果が得られる。さらに、実施形態２では、２つのヘッドガード９３が設けられているので、実施形態１に比較して一層記録ヘッド１９を保護したり、一層記録品位の低下を抑えたりしやすい。なお、実施形態２において、Ｘ軸に沿った方向が交差方向に対応し、ヘッドガード９１が毛羽取り部及び第１部分のそれぞれに対応し、ヘッドガード９３が毛羽取り部に対応している。
【００４１】
（実施形態３）
実施形態３におけるキャリッジ１７は、図７に示すように、ヘッドガード９５を有している。また、実施形態３におけるキャリッジ１７では、実施形態１におけるヘッドガード９１（図３）が省略されている。実施形態３は、これらの点を除いて実施形態１と同様の構成を有している。このため、実施形態３において、実施形態１と同一の構成については実施形態１と同一の符号を付して詳細な説明を省略する。
【００４２】
本実施形態では、２つのヘッドガード９５が設けられている。２つのヘッドガード９５は、Ｘ軸に沿って並んでいる。Ｘ軸に沿って並ぶ２つのヘッドガード９５の間に記録ヘッド１９が位置している。また、２つのヘッドガード９５は、それぞれ、Ｘ軸方向に見たときに、記録ヘッド１９よりも上流側（−Ｙ軸方向側）から記録ヘッド１９に重なる領域にわたって延在している。２つのヘッドガード９５において、記録ヘッド１９よりも上流側に位置する部分は、第１部分９７と呼ばれる。第１部分９７のＹ軸に沿った長さＬ４は、実施形態１と同様に、記録媒体Ｐの１回当たりの最大搬送距離と等しい長さ、又は最大搬送距離よりも長い長さに設定される。２つのヘッドガード９５において、記録ヘッド１９よりも下流側に位置する部分の長さは、実施形態２と同様に、長さＬ３に設定される。
【００４３】
また、２つのヘッドガード９５と記録媒体Ｐとの隙間は、隙間Ｇ２と等しい、又は隙間Ｇ２よりも狭く設定される。実施形態３においても、実施形態１や実施形態２と同様の効果が得られる。さらに、実施形態３では、実施形態２に比較してヘッドガード９１を省略することができるので、プリンター１にかかるコストを軽減することができる。なお、実施形態３において、Ｘ軸に沿った方向が交差方向に対応し、ヘッドガード９５が毛羽取り部に対応している。
【００４４】
実施形態１から実施形態３では、プリンター１における記録媒体Ｐが、単票の記録媒体Ｐとして例示されているが、記録媒体Ｐの形態は、これに限定されない。記録媒体Ｐの形態としては、例えば、ロール状に巻き取られた記録媒体Ｐの形態も採用され得る。ロール状に巻き取られた記録媒体Ｐをロールから巻きほどきながら搬送し、巻きほどかれた記録媒体Ｐに記録を行う形態のプリンター１においても同様の効果が得られる。
【符号の説明】
【００４５】
１…プリンター、３…搬送装置、５…記録部、７…移動装置、９…インク供給部、１１…制御部、１２Ａ…駆動ローラー、１２Ｂ…従動ローラー、１３…搬送モーター、１５…中継ユニット、１７…キャリジ、１９…記録ヘッド、３１…フレキシブルケーブル、４１Ａ，４１Ｂ…プーリー、４３…タイミングベルト、４５…キャリッジモーター、４７…ガイド軸、５１…カートリッジ、５３…ホルダー、５５…ポンプユニット、６１…インク供給チューブ、８１…ノズル面、８３…ノズル、８５…ノズル列、９１…ヘッドガード、９３…ヘッドガード、９５…ヘッドガード、９７…第１部分、Ｇ１，Ｇ２…隙間、Ｌ１，Ｌ２，Ｌ３，Ｌ４…長さ、Ｐ…記録媒体。
【図１】
0006450962.tif 000002
【図２】
0006450962.tif 000003
【図３】
0006450962.tif 000004
【図４】
0006450962.tif 000005
【図５】
0006450962.tif 000006
【図６】
0006450962.tif 000007
【図７】
0006450962.tif 000008